(57)【要約】  物体、特に建物要素上にマーキングを施すためのマーキング補助具であって、物品へのマーキング補助具の規定された接触のための第１の停止面（２０）と、マーキング道具（Ｂ）を受け入れるための少なくとも１つの第１の貫通開口部（４）とを有する。マーキング補助具は、本体（１）と第１の横梁（２）とを有する。少なくとも１つの第１の貫通開口部（４）は、本体（１）を貫通する。第１の横梁（２）は、本体（１）の第１の端部に配置され、本体（１）に対して直角に延びており、前記第１の横梁（２）は、少なくとも１つの面で前記本体（１）を越えて突出しており、第１の横梁（２）は、本体（１）の反対側の面で、第１の停止面（２０）を形成する。このマーキング補助具は、特にドアの指保護ロールスクリーン及び指保護条片カバーの設置に適している。
2019502564.tif 000002
【特許請求の範囲】
【請求項１】
物体、特に建築要素にマーキングを施すためのマーキング補助具であって、
前記マーキング補助具は、前記物体に対する前記マーキング補助具の規定された接触のための少なくとも１つの停止面（２０）と、マーキング道具（Ｂ）を受け入れるための少なくとも１つの第１の貫通開口部（４）とを有し、
前記マーキング補助具は、本体（１）と第１の横梁（２）とを有し、
前記少なくとも１つの第１の貫通開口部（４）は、前記本体（１）を貫通し、
前記第１の横梁（２）は、前記本体（１）の第１の端部に配置され、前記本体（１）に対して直角に延び、
前記第１の横梁（２）は、少なくとも１つの面で前記本体（１）を越えて突出しており、
前記第１の横梁（２）は、前記本体（１）の反対側の面で、前記少なくとも１つの停止面の第１の停止面（２０）を形成する、マーキング補助具。
【請求項２】
前記第１の横梁（２）は、少なくとも２つの面で前記本体（１）を越え突出しており、それにより、前記第１の横梁（２）は、前記本体（１）に対して広がっている基部を形成する、請求項１に記載のマーキング補助具。
【請求項３】
前記本体（１）は、実質的に直方体形状であり、
前記本体（１）は、前面（１０）、背面（１３）及び２つの端面（１１、１２）を有する、請求項１又は２に記載のマーキング補助具。
【請求項４】
前記第１の横梁（２）は、前記本体（１）の前記前面（１０）及び前記背面（１３）を越えて突出する、請求項３に記載のマーキング補助具。
【請求項５】
前記第１の横梁（２）は、前記本体（１）の前記２つの端面（１１、１２）のうちの１つを越えて突出する、請求項３又は４に記載のマーキング補助具。
【請求項６】
前記第１の停止面に加えて、少なくとも１つのさらなる停止面が存在し、
前記本体（１）は、前記第１の端部に対向する第２の端部を有し、
第２の横梁（３）は、前記本体（１）の第２の端部に配置され、前記本体（１）に対して直角に延び、前記第１の横梁（２）に平行であり、
前記第２の横梁（３）は、少なくとも１つの面で前記本体（１）を越えて突出しており、
前記第２の横梁（３）は、前記さらなる停止面（３０、３２、３３、３４）の少なくとも１つを形成する、請求項１〜５のいずれかに記載のマーキング補助具。
【請求項７】
前記第２の横梁（３）は、前記本体（１）の前記前面（１０）及び前記背面（１３）を越えて突出しており、それにより、前記第２の横梁（３）は、前記本体（１）に対して広がっている基部を形成する、請求項３及び６に記載のマーキング補助具。
【請求項８】
前記第２の横梁（３）は、平坦面を有し、前記平坦面は、前記本体（１）の反対側の面であり、かつ前記少なくとも１つのさらなる停止面の停止面（３０）を形成する、請求項６又は７に記載のマーキング補助具。
【請求項９】
前記第２の横梁（３）は、前記少なくとも１つのさらなる停止面の停止面（３２、３３、３４）を形成する少なくとも１つの平坦な端面を有する、請求項６〜８のいずれかに記載のマーキング補助具。
【請求項１０】
前記第１及び第２の横梁（２、３）はそれぞれ端面（２４、３４）を有し、前記端面は、前記本体（１）の端面（１１）と接続されて互いに整列し、平らな第４の停止面を形成する、請求項６〜９のいずれかに記載のマーキング補助具。
【請求項１１】
前記少なくとも１つの第１の貫通開口部（４）は、前記第１の停止面（２０）と平行に延び、前記第１の停止面に垂直に延びている前記本体（１）の２つの面（１１、１２）の間に延びる、請求項１〜１０のいずれかに記載のマーキング補助具。
【請求項１２】
前記本体（１）に、第１の直線に沿って並んで配置された複数の第１の貫通開口部（４）が存在する、請求項１１に記載のマーキング補助具。
【請求項１３】
前記複数の第１の貫通開口部（４）は、互いに重なり合っており、重なり合った領域において先細り形状に構成される、請求項１２に記載のマーキング補助具。
【請求項１４】
前記本体（１）を貫通する少なくとも１つの第２の貫通開口部（５）が存在し、前記第２の貫通開口部（５）は、前記少なくとも１つの第１の貫通開口部（４）に対して直角に延びる、請求項１〜１３のいずれかに記載のマーキング補助具。
【請求項１５】
前記本体（１）に、第２の直線に沿って配置された複数の第２の貫通開口部（４）が存在し、前記第２の直線は、前記少なくとも１つの第１の貫通開口部（４）の長手方向に対して９０°でない角度で延びる、請求項１４に記載のマーキング補助具。
【請求項１６】
前記マーキング補助具が一体的に形成されている、請求項１〜１４のいずれか一項に記載のマーキング補助具。
【発明の詳細な説明】
【技術分野】
【０００１】
本発明は、物体、特に建築部品にマーキングを施すためのマーキング補助具に関する。マーキング補助具は、ドア枠及び／又はドア体に、指保護ロールブラインド及び／又は指保護ヒンジカバーを取り付けるためのマーキングを施すための手段として適していることが好ましい。
【背景技術】
【０００２】
通常、構造部品を他の構造部品、特に建築部品に、位置的に正確に取り付けることができるようにするために、取付穴が穿孔される場所、又は釘が打ち込まれる場所、又は接着剤が塗布される場所を確立するための測定が最初に行われる。取り付けを容易にするために、いわゆるマーキング補助具が知られている。このようなマーキング補助具は、構造部品、例えば建築部品に、通常は鉛筆でマーキングを施すことを可能にする。
【０００３】
特許文献１は、物差しに搭載できるマーキング補助具を開示している。特許文献２は、移動可能なグリップを有する直角三角形の形状のマーキング補助具を示している。特許文献３は、スライドを直角定規と組み合わせたマーキング補助具を記載している。
【０００４】
マーキング補助具は、あまり複雑な形状にされるべきではなく、それによって簡単な方法で、かつ可能な限り誤差なく使用することができる。さらに、窮屈な空間条件でも使用可能であるべきである。これは特にドアの分野に当てはまる。
【０００５】
小さな子供を事故から守るために、指保護装置をドアに後付けすることが知られている。１つの解決策の変形において、ドア枠と、ヒンジ面とは反対側に位置するドア体の第２の閉鎖端との間の隙間は、織物製保護ローラーブラインドで覆われ、一方の側はドア枠に固定され、他方の側はドア体に固定されている。さらに、ドアヒンジの間の空間を橋渡しするカバー条片でドアのヒンジ面を保護することが知られている。
【０００６】
「ヒンジ面」とは、ドアヒンジ、すなわち枠接合部が配置されているドア体の面を指す。「ヒンジ面の反対側」は、その反対側のドア体の面にある。ドア体のロック面は、ドアの他の端、すなわちドアロックとドアハンドルが位置する。
【０００７】
そのような指保護装置の取り付けは、可能な限り迅速かつ費用効果的に実現されなければならない。そうであっても、取り付けには誤差がないようにしなければならない。
【先行技術文献】
【特許文献】
【０００８】
【特許文献１】独国特許発明第１９５０４７７０号明細書
【特許文献２】西独国実用新案公開第８４１０４８８号明細書
【特許文献３】独国特許出願公開第１０２００７０１０５６５号明細書
【発明の概要】
【０００９】
従って、本発明の目的は、可能な限り簡単な形状のマーキング補助具を提供することである。
【００１０】
この目的は、請求項１の特徴を有するマーキング補助具によって達成される。
【００１１】
本発明によるマーキング補助具は、物体、特に建築要素にマーキングを施すためのマーキング補助具であって、物体に対するマーキング補助具の規定された接触のための少なくとも１つの停止面を有し、マーキング道具を受け入れるための少なくとも１つの第１の貫通開口部を有する。マーキング補助具は、本体と第１の横梁とを有する。少なくとも１つの第１の貫通開口部が本体を貫通する。第１の横梁は、本体の第１の端部に配置され、本体に対して直角に延び、第１の横梁は、少なくとも１つの面で、好ましくは２つ、さらに好ましくは３つの面で、本体を越えて突出する。第１の横梁は、本体の反対側の面で、少なくとも１つの停止面の第１の停止面を形成する。この第１の停止面は、好ましくは、少なくとも１つの第１の貫通開口部の正確な位置決めのために役立つ。
【００１２】
有利には、とりわけ、マーキング補助具は、指保護装置用のためのマーキングをドアに施すのに適している。本発明によるマーキング補助具は、ドア体及びドア枠（即ち、額縁）へのマーキングに使用することができる。
【００１３】
マーキング補助具は小さく形成でき、窮屈な空間条件でも最適に使用できる。その簡単な形状により、一体型の設計が可能となり、コスト効率の高い生産が可能になる。特に、射出成形プロセスでプラスチックから作ることができる。マーキング補助具は、例えば、木材又は金属で形成することもできる。
【００１４】
マーキング補助具は、本体にしっかりと保持され、同時に、マーキング道具、特に鉛筆を同じ手で保持することができる。
【００１５】
横梁は、比較的大きな支持面を使用可能にし、従って、マーキング補助具の正確な位置決めを可能にする。
【００１６】
さらなる利点は、マーキング補助具を比較的小さな形状とすることができることであり、マーキング道具は、使用する場合のみマーキング補助具に配置されるに違いない。さらに、市販の鉛筆をマーキング道具として使用することができ、追加の手段でマーキング補助具に固定する必要はない。従って、マーキング補助具は、職人のズボンポケット又はジャケットポケットに入れて運搬することができ、従って、常に手元にある。
【００１７】
好ましくは、第１の横梁は、少なくとも２つの面で本体を越えて突出し、それによって、第１の横梁は、本体に対して広がっている基部を形成する。これにより、マーキングを施す際の精度が高まり、マーキング補助具の傾きが防止される。さらに、マーキング補助具は、回転した位置でも使用することができる。
【００１８】
好ましい実施形態では、本体は実質的に直方体形状であり、前面、背面及び２つの端面を有する。好ましくは、第１の横梁は、本体の前面及び背面を越えて突出する。本体がスリムなデザインであるこのＴ字型は、マーキング補助具の取り扱いと固定を最適化する。
【００１９】
好ましい変形例では、第１の横梁は、本体の２つの端面のうちの一方を越えて突出する。これにより、第１の停止面のサイズが大きくなる。さらに、横梁の突出した端面は、さらなる停止面として機能することができる。
【００２０】
好ましくは、第１の停止面に加えて、少なくとも１つのさらなる停止面が存在する。好ましくは、本体は、第１の端部に対向する第２の端部を有し、第２の横梁は、本体の第２の端部に配置され、本体に対して直角に、第１の横梁に平行に延びる。第２の横梁は、少なくとも１つの面で本体を越えて突出し、第２の横梁は、さらなる停止面の少なくとも１つを形成する。第２の横梁は、好ましくは、本体の前面及び背面を越えて突出し、それによって、本体に対して広がっている基部を形成する。
【００２１】
第２の停止面と、好ましくはさらなる停止面とを提供する第２の横梁の形状の結果として、マーキング補助具は様々な方法で使用することができる。特に、異なる停止面には、マーキング道具を固定するための異なる貫通開口部を割り当てることができる。これにより、使用中の柔軟性が向上する。
【００２２】
本発明によるマーキング補助具は、構造部品に対して適切な停止面を有するまで、特に窮屈な空間条件又は特定の空間配置において、回転及び反転させることができる。
【００２３】
好ましくは、第２の横梁は、本体から反対側に、少なくとも１つのさらなる停止面の停止面を形成する、平坦面を有する。以下、この停止面を第２の停止面と称する。
【００２４】
好ましくは、第２の横梁は、少なくとも１つの平坦な端面を有し、少なくとも１つの平坦な端面は、本体に、であり、この少なくとも１つの平坦な端面は、少なくとも１つのさらなる停止面の停止面を形成する。この端面は、好ましくは第１の停止面に垂直に、好ましくは第２の停止面に対して直角に延びる。この端面は、第２の貫通開口部の位置決めの基準として、上述の第２の停止面と連帯して機能することが好ましい。
【００２５】
好ましくは、第１の横梁もまた、停止面として機能する平坦な端面を有する。好ましくは、マーキング補助具のすべての端面は平坦な形状であり、停止面及び／又はマーキング道具の線引きの直定規として機能する。
【００２６】
好ましい実施形態では、第１及び第２の横梁はそれぞれ、端面が互いに整列し、本体の端面と連帯して、平坦な第４の停止面を形成する端面を有する。この共通の平坦面も、従って、停止面を形成することができる。
【００２７】
好ましくは、マーキング補助具は、第１の横梁が両方の側で第２の横梁よりも短く形成された二重Ｔ字形を有する。横梁、すなわちＴ字梁は、好ましくは等しい長さ、すなわち本体に対して鏡面対称であることが好ましい。好ましくは、第２の横梁は、その両端面で本体の端面に整列され、第１の横梁は１つの端面のみに整列され、他端面は本体を越えて突出する。好ましくは、少なくとも全ての端面、好ましくは貫通開口部の内側を除いて全ての表面が平坦な形状であり、それらが停止面として機能することができる。結果として、指保護装置をドアに施すために、特に指保護ローラーブラインド及びヒンジカバーを施すために最適に使用できるマーキング補助具が提供される。しかし、他の要素や構造部品のマーキング補助具としても使用できる。
【００２８】
好ましくは、少なくとも１つの第１の貫通開口部は、第１の停止面に平行に、本体の第１の停止面に対して垂直に延びる２つの面、すなわち本体の前面及び背面の間を延びる。好ましくは、第１の停止面に対して規定された不変の距離に配置される。好ましくは、貫通開口部と第１の停止面との正確な距離は、適切な視覚的なマーキングでマーキング補助具に示される。
【００２９】
好ましい実施形態では、複数の第１の貫通開口部が存在し、それらは第１の直線に沿って本体に並んで配置される。それらの位置は、好ましくは不変であり、第１の停止面からの正確な距離は、好ましくは、マーキング補助具に表示される。その結果、マーキング道具、特に鉛筆は、開口部を通って、停止面の規定された距離に配置することができ、このようにして、マーキングを簡単にかつ誤差なく施すことができる。
【００３０】
複数の第１の貫通開口部は、互いに重なり合っていることが好ましく、重なり合った領域で先細り形状に構成されていることが好ましい。その結果、可能なマーキング点間の距離を最小化できる。特に、マーキング道具の外径よりも小さくすることができる。それでも、マーキング道具を、特に傾かないように、最適に保持することができる。
【００３１】
好ましくは、少なくとも１つの第１の貫通開口部は、サイズ及び形状が鉛筆の断面に対応する連続的な六角形の、特にハニカム状の断面を有する。少なくとも１つの第１の貫通開口部の形状及びサイズは、使用されるマーキング道具の性質に従って設計される。
【００３２】
少なくとも１つの貫通開口部が通って延びる本体の厚さによって、少なくとも１つの第１の貫通開口部は、マーキング道具を傾かないように保持するのに十分な長さを有する。
【００３３】
好ましい実施形態では、少なくとも１つの第２の貫通開口部が存在し、本体を貫通し、少なくとも１つの第１の貫通開口部に対して直角に、好ましくは第１の停止面に平行に延びる。好ましくは、少なくとも第２の貫通開口部は、第２の停止面に対して垂直に延びている。その結果、同じマーキング補助具でさらにマーキングを施すことができる。基準面は、ここでは好ましくは、第２の停止面である。好ましくは、第２の貫通開口部は、ここでは停止面、特に第２の停止面までの距離を示すマーキングでもラベルされている。しかしながら、マーキングは、作られる穿孔穴の直径に関連してもよく、貫通開口部の位置は、構造部品の縁部又は角までの必要な距離の位置決めを可能にする。
【００３４】
好ましくは、第２の直線に沿って本体に配置された複数の第２の貫通開口部が存在し、第２の直線は、少なくとも１つの第１の貫通開口部の長手方向に対して９０°とは異なる角度で延びる。第２の貫通開口部の場合にも、重なり合いが可能である。また、形状及びサイズは、好ましくは、マーキング道具の形状及びサイズに再び適合される。
【００３５】
さらなる実施形態は、従属請求項に規定される。
【図面の簡単な説明】
【００３６】
本発明の好ましい実施形態を、図面を参照して以下に説明するが、これらは単に例示するためのものであり、本発明を限定するものではない。図面では、
【００３７】
【図１】図１は、本発明によるマーキング補助具の斜視図を示す。
【図２】図２は、図１によるマーキング補助具の後方から見た図である。
【図３】図３は、図１によるマーキング補助具の上から見た図である。
【図４】図４は、ドア体及びドア枠又は額縁を備えたドアに指保護装置を設置するための、図１による本発明によるマーキング補助具の使用の第１の表現を示す。
【図５】図５は、図４による使用の第２の表現を示す図である。
【図６】図６は、図４による使用の第３の表現を示す。
【図７】図７は、図４による使用の第４の表現を示す。
【発明を実施するための形態】
【００３８】
図１〜図３には、本発明によるマーキング補助具が示されている。それは一体的に形成され、特にプラスチック、木材又は金属で作られている。本体１と、本体１の第１の端部に形成された第１の横梁２と、本体１の第１の端部の反対側にある第２の端部に形成された第２の横梁３とを有する。
【００３９】
本体１は、前面１０、第１の端面１１、第２の端面１２、及び背面１３を有する直方体形状である。全ての面は平坦に形成されている。相互に対向する面は互いに平行に延びている。
【００４０】
２つの横梁２、３も同様に直方体形状である。本体１及び２つの横梁２、３は、比較的狭く形成されている。
【００４１】
２つの横梁２、３の表面は、同様に好ましくはすべて平坦な形状であり、互いに対向する面は好ましくはすべて互いに平行に延びている。
【００４２】
２つの横梁２、３は本体１に対して直角に配置され、マーキング補助具の断面は二重Ｔ字形の形状を有する。本体１はＴ字の足を形成し、２つの横梁２、３はそれぞれＴ字の腕を形成する。本体１は、好ましくは、２つの横梁２、３に対して中央に配置され、すなわち横梁２、３のそれぞれのＴのそれぞれの２つの腕は本体１に対して鏡対称である。第２の横梁３の腕は、好ましくは、第１の横梁２の腕よりも長く形成されている。
【００４３】
第１の横梁２は、本体１とは反対側に平坦面を有する。この面は、第１の停止面２０を形成する。第１の横梁２の背面は、本体１の方を向いており、参照符号２１で図に示されている。同様に、２つの第１の端面２２が平坦に形成されている。第２の端面２３は本体１から突出しており、すなわち第１の横梁２は、本体１よりも長く形成されている。第２の端面２３の反対側に位置する平坦な第３の端面２４は、本体１の第１の端面又は端表面１１と整列している。好ましくは、第１の横梁２の背面２１を除いて、これらの面又は表面のすべてが、停止面として機能することができる。
【００４４】
第２の横梁３も同様に形成されている。本体１の反対側の面であって、第１の停止面２０に平行に延びる平坦面は、図中に参照符号３０を付している。それは第２の停止面３０として機能する。本体１側を向いた反対側の平坦な背面には、参照符号３１が付されている。本体の前面１０及び背面１３と平行に延びる、２つの第１の平坦な端面が、第２の停止面３１となる。平坦な第２の端面３３は、本体１の第１の端面１１と整列している。第２の横梁３の、第２の端面３３に対向する平坦な第３の端面３４は、本体１の第２の端面１２と整列している。第２の横梁３の表面は、本体１の表面に平行又は垂直に延び、第２の横梁３の背面３１を除いて、すべてが停止面として機能することができる。
【００４５】
本体１には、マーキング道具が貫通して固定するための貫通開口部４、５が存在する。本明細書に示されたマーキング補助具は、六角形の断面を有するマーキング道具として鉛筆と共に使用される。そのような鉛筆は広く普及しており、実際にはすべての職人が自分のポケットの中に入れて持ち歩く。
【００４６】
貫通開口部４、５の形状及びサイズは、マーキング道具の形状及びサイズに適合する。この場合、それらは同様に六角形である。
【００４７】
第１の貫通開口部４は、本体１の第１の端面１１から第２の端面１２まで直線的に延びている。ここでは、複数の第１の貫通開口部４が、互いに並んだ状態で、又は直線に沿って、重なり合って配置されている。それらの六角形形状のおかげで、それらの重なり合った領域において先細りが形成され、鉛筆は単一の貫通開口部内で、傾かないように保持される。
【００４８】
鉛筆は、使用の際、それぞれの貫通開口部４に容易に導入することができる。この鉛筆は、常にそこに取り付けられたままである必要はない。
【００４９】
第２の貫通開口部５は、本体１の前面１０から背面１３まで延びている。第２の貫通開口部５は、第１の貫通開口部４を通過しないことが好ましい。第１及び第２の貫通開口部４、５は、好ましくは、本体１を通って直線的に延びる。
【００５０】
ここでも、複数の第２の貫通開口部５が直線に沿って延びている。しかしながら、この直線は、前面１０に沿って、すなわち、横梁２、３に対して所定の角度で延びている。ここでもまた、開口部５は重なり合って、六角形又はマーキング道具と一致する形状を有する。
【００５１】
第１及び第２の貫通開口部４、５に隣接して、好ましくは本体１にデータが記録され、例えばインプリント又は刻印される。この例では、第１の貫通開口部４について、第１の停止面までの距離２０がｍｍで表示される。図１及び２において、対応する数字１０、１５、２０、２５、３０、３５及び４０が明示される。第２の貫通開口部５に隣接して、符号Ｕ１６、Ｕ１８、Ｕ２０及びＵ２２がある。これは、様々な製品タイプの指保護装置、特にヒンジカバーに対応する。
【００５２】
図４〜７には、このようなマーキング補助具の使用のための適用例が示されている。ドア枠Ｒのドア上には、指保護ローラーブラインド６、７、及びヒンジカバー８の形状のさらなる指保護が取り付けられるように意図されている。ここでは、ドア体Ｔが閉じられている。
【００５３】
図４には、巻き上げられた織物製ローラーブラインドを受け入れるためのハウジング６が示されている。織物製ローラーブラインドは図示されていない。ハウジング６は、取り付け条片６０を有する。本発明によるマーキング補助具Ａは、第１の横梁２の第１の停止面２０を、閉じたドア体Ｔに当てて配置される。マーキング道具（ここでは、鉛筆Ｂ）は、第１の貫通開口部４のうちの１つに差し込まれ、従って、取り付け条片６０の前縁部の位置を罫書く機能を果たすことができる。ここで、ドア体までの所望の距離は１５ｍｍである。さらに、マーキング道具Ｂは、マーキング補助具の位置を変更することなく、取り外され、別の貫通開口部を通して新たに差し込まれて、例えば穿孔穴の位置等のさらなるマーキングを施すことができる。このプロセスは、望む限り何度でも繰り返すことができる。
【００５４】
図４と同様に、ここでは参照符号Ａ’を付した本発明によるマーキング補助具は、ヒンジカバー８の位置決めの機能を果たす。この例に示すヒンジカバー８は、１つ以上のクランプ８０を有し、その上に保護プロファイル８１を取り付けることができる。マーキング補助具Ａ’は、第２の停止面３０を閉じたドア体Ｔに、第２の横梁３の第３の停止面３２をドア枠Ｒに当てて配置される。鉛筆Ｂは、第２の貫通開口部５のうちの１つを通して差し込まれ、穿孔穴の、ドア体Ｔとドア枠Ｒによって形成される角までの所望の距離が示される。第１の横梁２の腕は第２の横梁３の腕よりも短く形成されているので、このタイプのマーキングを妨げない。マーキング補助具Ａ’のこの使用も図７に示されている。
【００５５】
図５には、ハウジング６の位置決めのためのマーキングが再び示されており、マーキング補助具Ａがこの目的のために使用されている。マーキング補助具Ａ”は、指保護ローラーブラインド（ここでは示されていない）の垂下レール７の位置決めに機能を果たす。この垂下レール７は、ドア体Ｔに固定されており、織物製ローラーブラインドの吊り下げに役立つ。図６から明らかなように、マーキングは、ここでも閉じたドア体Ｔに行われる。マーキング補助具Ａ”は、同様に、ドア枠Ｔに対して第１の横梁２の第１の停止面２０で支持し、鉛筆Ｂは所望の第１の貫通開口部４を通って差し込まれる。
【００５６】
ここで示されたマーキング補助具Ａ、Ａ’Ａ”は、常に、指保護装置の個々の要素の位置決めのために連続的に使用される同じマーキング補助具によって構成される。従って、これは非常に柔軟かつ普遍的に使用可能である。これは特に、異なって設計された指保護装置、又は他の要素又は構造部品の、位置決め又はマーキングにも使用できる。
【符号の説明】
【００５７】
１        本体
１０      前面
１１      第１の端面
１２      第２の端面
１３      背面
２        第１の横梁
２０      第１の停止面
２１      背面
２２      第１の端面
２３      第２の端面
２４      第３の端面
３        第２の横梁
３０      第２の停止面
３１      背面
３２      第３の停止面／第１の端面
３３      第２の端面
３４      第３の端面
４        第１の貫通開口部
５        第２の貫通開口部
６        ハウジング
６０      取り付け条片
７        垂下レール
８        ヒンジカバー
８０      クランプ
８１      保護プロファイル
Ａ        第１のマーキング補助具
Ａ’      第２のマーキング補助具
Ａ”      第３のマーキング補助具
Ｂ        鉛筆
Ｔ        ドア体
Ｒ        ドア枠
【図１】
2019502564.tif 000003
【図２】
2019502564.tif 000004
【図３】
2019502564.tif 000005
【図４】
2019502564.tif 000006
【図５】
2019502564.tif 000007
【図６】
2019502564.tif 000008
【図７】
2019502564.tif 000009
【国際調査報告】
2019502564.tif 000010
2019502564.tif 000011
2019502564.tif 000012
2019502564.tif 000013
2019502564.tif 000014
2019502564.tif 000015